(57)【特許請求の範囲】
【請求項１】
引出収納箱と、これが出入自在に収納されるケース本体と、このケース本体上部に選択的に嵌合される天板とからなる収納ケースにおいて、
前記ケース本体の上部に上嵌合枠を一体的に立設して、この上嵌合枠の側面にケース本体用係合部を形成する一方、このケース本体の下部に下嵌合枠を一体的に形成して、この下嵌合枠の側面に、他のケース本体の前記上嵌合枠側におけるケース本体用係合部に係合し得る係合部を形成して、このケース本体の上部に対する他のケース本体の係合が行えるようにするとともに、
前記ケース本体上の前端部に、前記天板の前端部内側に形成した断面略Ｌ型係合部が嵌合される、側面形状を鈎状のものとした第一天板係合凹所を形成し、前記ケース本体上の後端部に、前記天板の後端部内側に形成した断面湾曲型係合部が嵌合される、深さを前記第一天板係合凹所よりも浅くした第二天板係合凹所を形成して、前記ケース本体上に対する天板の嵌合をも行えるようにし、
さらに、前記ケース本体の側壁下面に僅かに下方に突出する裁置突起を一体的に形成し、この裁置突起が係合される裁置凹所を、他の収納ケースの前記天板の上面に僅かに窪んだ状態で形成したことを特徴とする収納ケース。
【発明の詳細な説明】
【０００１】
【発明の属する技術分野】
本発明は、合成樹脂によりそれぞれ一体成形されるケース本体と、これに出入自在に収納される引出収納箱とからなる収納ケースに関し、特に、同じく合成樹脂によって一体成形される天板をも脱着自在とした収納ケースに関するものである。
【０００２】
【従来の技術】
ケース本体と引出収納箱とからなる収納ケースは、衣裳、ビデオテープあるいはＣＤ（コンパクトディスク）を収納するものとして、既に種々提案されてきている。また、この収納ケースは、大量生産に向いていて、しかも耐久性の高いものとすることができることから、そのケース本体及び引出収納箱を、合成樹脂により一体的に形成することも一般的に行われてきている。
【０００３】
そして、この従来から提案されてきている収納ケースは、収納された引出収納箱の上部を覆うために、ケース本体の上部側に天板が外れないように強固に嵌合されている。従って、この強固に嵌合されている天板を外そうとすると、原料樹脂が割れて破損してしまうこととなり、使用勝手が非常に悪いだけでなく、商品としての機能を果たさなくなってしまうことになるのである。
【０００４】
また、この種の収納ケースが、天板とケース本体とが一体成形されたＣＤ収納ケースである場合に、ＣＤが増えてくれば、同様なＣＤ収納ケースを買い足してこれを前のものの上に積み上げることがなされる。
【０００５】
収納ケースを順に上に積み上げるのであれば、各ケース本体の天板を一体的なものとしておくことは、合成樹脂材料の無駄となる。何故なら、下側の引出収納箱の開口は、そのケース本体の天板と、これの上側となる収納ケースの底面とによって二重に覆われることになるからである。
【０００６】
また、収納ケースを順に上に積み上げることを想定するのであれば、互いにズレないような工夫もしておかなければならない。この位置ズレ防止策も、従来の収納ケースにおいては種々提案されてきているが、いずれもケース本体の天板を一体的なものにすることを前提としているものであり、積み上げたときには、一番上のものはともかく、下側のものにおいては上述したような無駄が発生するものである。
【０００７】
このため、本発明者等は、例えば特開２０００−２３８７７８号公報にて、天板とケース本体とを破損することなく取り外せる構成を採用することによって、必要に応じて他のケース本体を追加して増やしたりすることもできる収納ケースを完成し、提案してきたのである。
【０００８】
この特開２０００−２３８７７８号公報にて提案した収納ケースは、これはこれで上記機能を十分発揮するものではあるが、本発明者等のその後の検討によって、天板のケース本体に対する嵌合及び取外しが更に簡単になれば、この種収納ケースの利便性がさらに高まると考えられたのである。
【０００９】
そこで、本発明者等は、ケース本体または天板の、ケース本体に対する嵌合及び取外しをより簡単に行えるようにするにはどうしたらよいか、について種々検討を重ねてきた結果、本発明を完成したのである。
【００１０】
【発明が解決しようとする課題】
本発明は、以上のような経緯に基づいてなされたもので、その解決しようとする課題は、収納ケースにおける使用勝手の向上である。
【００１１】
すなわち、本発明の目的とするところは、ケース本体の上部側に対する天板の嵌合は勿論、取り外しをも簡単な操作で確実に行うことができ、天板に代えて別のケース本体の取り付けを容易に行うことができて、多数のケース本体の無駄のない積み上げを良好に行うことのできる収納ケースを、簡単な構造によって提供することにある。
【００１２】
【課題を解決するための手段】
以上の課題を解決するために、本発明の採った手段は、後述する実施の形態の説明中において使用する符号を付して説明すると、
「引出収納箱２０と、これが出入自在に収納されるケース本体１０と、このケース本体１０上部に選択的に嵌合される天板３０とからなる収納ケース１００において、
ケース本体１０の上部に上嵌合枠１１を一体的に立設して、この上嵌合枠１１の側面にケース本体用係合部１２ａを形成する一方、このケース本体１０の下部に下嵌合枠１３を一体的に形成して、この下嵌合枠１３の側面に、他のケース本体１０の上嵌合枠１１側におけるケース本体用係合部１２ａに係合し得る係合部１２ｂを形成して、このケース本体１０の上部に対する他のケース本体１０の係合が行えるようにするとともに、
ケース本体１０上の前端部に、天板３０の前端部内側に形成した断面略Ｌ型係合部３１が嵌合される、側面形状を鈎状のものとした第一天板係合凹所１４を形成し、ケース本体１０上の後端部に、天板３０の後端部内側に形成した断面湾曲型係合部３２が嵌合される、深さを第一天板係合凹所１４よりも浅くした第二天板係合凹所１５を形成して、ケース本体１０上に対する天板３０の嵌合をも行えるようにし、
さらに、ケース本体１０の側壁下面に僅かに下方に突出する裁置突起１６を一体的に形成し、この裁置突起１６が係合される裁置凹所３３を、他の収納ケース１００の天板３０の上面に僅かに窪んだ状態で形成したことを特徴とする収納ケース１００」
である。
【００１３】
すなわち、この収納ケース１００は、それぞれ合成樹脂によって一体成形したケース本体１０と、この中に引出自在に収納する引出収納箱２０とからなるものであり、通常はその上部側に天板３０を取り付けておくものであるが、必要に応じて、この天板３０を取り外して他のケース本体１０を取り付け、このケース本体１０上に、外した天板３０を取り付けられるようにしたものである。
【００１４】
そのために、この収納ケース１００においては、図２及び図５に示すように、ケース本体１０の上部に上嵌合枠１１を一体的に立設しておき、この上嵌合枠１１の側面にケース本体用係合部１２ａを形成しておいて、このケース本体用係合部１２ａが係合されることになる係合部１２ｂを、ケース本体１０の底面に下方に突出する状態で一体成形した下嵌合枠１３に形成したものである。
【００１５】
また、このケース本体１０では、その上部の前後両端部に、第一天板係合凹所１４及び第二天板係合凹所１５を形成しておいて、これらの第一及び第二天板係合凹所１４及び１５に係合されるべき断面略Ｌ型係合部３１及び断面湾曲型係合部３２を、天板３０側に形成したものである。
【００１６】
つまり、天板３０においては、図２、図３、及び図７〜図９に示すように、その前端部内側に、第一天板係合凹所１４に嵌合される断面略Ｌ型係合部３１が、またその後端内側に、第二天板係合凹所１５に係合される断面湾曲型係合部３２が、それぞれ形成してあるのである。
【００１７】
この天板３０をケース本体１０に取り付けるには、特に図９に示すように、まず、ケース本体１０上の前端部に形成してある第一天板係合凹所１４に、天板３０の前端部内側に形成した断面略Ｌ型係合部３１を嵌合させる。そして、この係合状態を維持したまま天板３０を後端側にズラせてから、ケース本体１０上の後端部に形成してある第二天板係合凹所１５上に、天板３０の後端部内側に形成した断面湾曲型係合部３２を強制的に嵌合させるのである。このとき、天板３０の断面湾曲型係合部３２は、図８にも示すように、断面が丸型を代表とする文字通り湾曲形状のものであるから、ケース本体１０側の第二天板係合凹所１５に簡単に係合されるのである。なお、天板３０のケース本体１０からの取り外しは、前述したのとは逆に行えば、上述したのと同じ理由で簡単に行えるものであることは当然である。
【００１８】
天板３０をケース本体１０上部から外せば、当該ケース本体１０の上部には、図５に示すように、上嵌合枠１１が露出することになる。この上嵌合枠１１に対しては、上述した通り、他のケース本体１０の下部、つまり下嵌合枠１３が嵌合されるのである。この下嵌合枠１３には、下のケース本体１０の上嵌合枠１１に形成してあるケース本体用係合部１２ａに係合し得る係合部１２ｂが形成してあるから、下側のケース本体１０上の上嵌合枠１１に対して、この追加しようとしている上側の下嵌合枠１３を位置決めしながら強制嵌合すれば、両ケース本体１０は簡単に係合し合って抜け止めがなされるのである。
【００１９】
そして、以上のようなケース本体１０上部に対して、他のケース本体１０または天板３０の選択的な取付が行えるのであるから、当該ケース本体１０については、ケース本体１０、または天板３０によって常に覆われることになる。このため、各ケース本体１０の上面には開口を多数形成することができるのであり、これによって当該ケース本体１０を形成している合成樹脂材料を必要最小限のものとして済ませることができるのである。なお、実施形態のケース本体１０では、その底面にも多数の開口を形成して、より一層使用材料の低減を図るようにしている。
【００２０】
従って、この収納ケース１００によれば、その天板３０または別のケース１０の、ケース本体１０の上部側に対する選択的取り付け、及び取り外しを簡単に行うことができ、その結果、ケース本体１０を同一の成形型を用いて大量生産することができてコスト低減を図ることができるのであり、必要に応じたケース本体１０の追加積み上げを良好に行うことができて、使用勝手の良好なものとすることができるのである。また、天板３０の取り外しにあたっては、ケース本体１０や天板３０の破損等を防止することができるものであり、その作業を簡単にしかも安心して行うことができるのである。
【００２１】
【発明の実施の形態】
次に、上記のように構成した本発明を、図面に示した実施の形態である収納ケース１００について説明する。
【００２２】
さて、図１には、本発明に係る収納ケース１００であって、３つのケース本体１０を積み上げて互いに係合させるとともに、一番上のケース本体１０に天板３０を嵌合させた状態の斜視図が示してある。上側の各ケース本体１０は、例えば図２に示したように、その底部にて下側のケース本体１０に対して係合させてあるものであり、一番上のケース本体１０については、その上部に天板３０を嵌合したものである。勿論、各ケース本体１０内には、図１及び図２に示したように、衣類等が実際に入れられる引出収納箱２０が出入自在に収納されるものである。
【００２３】
各ケース本体１０は、図２及び図４に示したように、その各側壁の上面に、上方に突出する上嵌合枠１１を一体的に形成したものである。つまり、このケース本体１０を構成している両側壁の各上面には、図４の（イ）及び図５にも示したように、上嵌合枠１１がそれぞれ形成してあり、各上嵌合枠１１の内側には、図２及び図５に示したように、複数のケース本体用係合部１２ａが一体的に形成してある。
【００２４】
各ケース本体用係合部１２ａは、例えば図２の最下段に示したケース本体１０に対して当該ケース本体１０を積み重ねて一体化する場合に使用されるものであり、このケース本体用係合部１２ａのための係合部１２ｂが、図２の２段目に示したケース本体１０のように形成してある。換言すれば、ケース本体１０の各側壁の下端部には、上述した上嵌合枠１１と同一位置になる下嵌合枠１３が、当該側壁に一体的でかつ下方に突出する状態で形成してあり、この下嵌合枠１３の上記ケース本体用係合部１２ａに対応する位置に係合部１２ｂが形成してあるのである。この係合部１２ｂは、上記ケース本体用係合部１２ａが係合されることになる穴であり、実施形態では３箇所に形成してある。
【００２５】
本実施形態のケース本体１０を構成している両側壁の下面には、図２及び図４に示したように、僅かに下方に突出する載置突起１６が一体的に形成してあり、これらの載置突起１６は、後述する天板３０側の載置凹所３３内に係合することになるものでもある。つまり、これらの載置突起１６は、天板３０を有して独立した複数の収納ケース１００を、天板３０を外さないで積み重ねる場合に使用されるものである。
【００２６】
そして、各ケース本体１０の、上嵌合枠１１の前方（図２では図示左側）となる部分には、後述する天板３０のための第一天板係合凹所１４を構成する突起が、またこの上嵌合枠１１の後方（図２では図示右側）となる部分には第二天板係合凹所１５を構成する突起が、それぞれ上嵌合枠１１と同程度の高さで当該ケース本体１０の上部に一体的に形成してある。
【００２７】
各第一天板係合凹所１４は、図２等に示したように、側面形状が鈎状のものとしてあるが、これは天板３０の前部をケース本体１０の前部にしっかりと嵌合させるためである。つまり、後述する引出収納箱２０を大きく引き出したときに、この引出収納箱２０の前端が下がって傾斜し、この引出収納箱２０の後端が天板３０の前端部を上げようとすることになるから、この力に対抗することができるようなしっかりした係合を行えるように、この第一天板係合凹所１４は鈎状のものとしてあるのである。
【００２８】
一方、上嵌合枠１１の後方となる部分に形成した第二天板係合凹所１５は、図２にも示したように、半円形を代表とする湾曲形状のものとしてある。このようにしたのは、後述する天板３０側の断面湾曲型係合部３２の係合をより簡単に行えるようにするためであり、そのために、この第二天板係合凹所１５の深さは上述した第一天板係合凹所１４のそれよりも浅くしてある。
【００２９】
なお、以上のように構成したケース本体１０の上面及び下面には、複数の開口が形成してあり、これによってケース本体１０全体に使用する合成樹脂の材料軽減を図っているのである。
【００３０】
以上のようなケース本体１０内に、その前方に形成した押入口から出入自在に収納される引出収納箱２０は、合成樹脂を材料として一体的に成形されるものである。勿論、この引出収納箱２０の前面側には、図１及び図２に示したように、引出操作を行うときに手指を掛けるための取手部が形成してある。
【００３１】
天板３０は、図２に示したように、ケース本体１０に被せられるものであり、主としてその両側下面でケース本体１０の両側壁上に嵌合されるものである。つまり、この天板３０は、図３に示したように、その下面側に、下嵌合枠１３と同様な嵌合枠３５を形成した板状のものであり、各嵌合枠３５には、図３の（イ）及び（ロ）に示したように、ケース本体１０側の上嵌合枠１１に形成してある各ケース本体用係合部１２ａに係合される天板側係合部３４が形成してある。さらに、この天板３０を構成している嵌合枠３５の、ケース本体１０側の第一天板係合凹所１４に対応する部分には、図２及び図７に示したように、当該天板３０をケース本体１０に嵌合するための断面略Ｌ型係合部３１が、また、この嵌合枠３５のケース本体１０側の第二天板係合凹所１５に対応する部分には、図２及び図８に示したように、断面湾曲型係合部３２がそれぞれ形成してある。
【００３２】
断面略Ｌ型係合部３１は、図２、図３の（イ）、及び図７に示したように、上述した嵌合枠３５と、当該天板３０の外周を囲む枠との交点部分に、所謂アンダーカット部分として形成したものであり、図９に示したように、ケース本体１０側の第一天板係合凹所１４に対してしっかりと嵌合できるようにした、文字通り略Ｌ型の断面を有するものである。この断面略Ｌ型係合部３１は、当該天板３０をケース本体１０に一体化する場合に、図９に示したような最初の係合がなされることになる部分であり、この断面略Ｌ型係合部３１とケース本体１０側の第一天板係合凹所１４との係合状態を維持したまま天板３０の後端をケース本体１０上に力を加えて乗せたとき、ケース本体１０側の第二天板係合凹所１５に断面湾曲型係合部３２が係合することになるのである。
【００３３】
断面湾曲型係合部３２は、図２、図３の（イ）、及び図７に示したように、上述した嵌合枠３５と、当該天板３０の外周を囲む枠との交点部分に、所謂アンダーカット部分として形成したものであり、断面を、半円状の丸形を代表とする湾曲形状にしたものである。断面湾曲型係合部３２をこのような形状にしたのは、図９に示したように、上述した断面略Ｌ型係合部３１とケース本体１０側の第一天板係合凹所１４との係合状態を維持したまま、天板３０の後端をケース本体１０上に力を加えて乗せたとき、ケース本体１０側の第二天板係合凹所１５に当該断面湾曲型係合部３２が簡単に係合するようにしたいためである。つまり、この断面湾曲型係合部３２の、ケース本体１０側の第二天板係合凹所１５に対する嵌合は、第二天板係合凹所１５の深さが前述したように浅く、しかも当該断面湾曲型係合部３２自身は言わばカマボコ状の断面を有するものであるから、ケース本体１０上にこの天板３０を押しつけるだけで行えるのである。
【００３４】
勿論、断面湾曲型係合部３２及び第二天板係合凹所１５によって、天板３０がケース本体１０に対して嵌合された状態になれば、当該天板３０の後端にはそれ程大きな力が加わることがないのであるから、その嵌合状態は十分維持される。しかも、この天板３０を外して別のケース本体１０を嵌合したい場合には、断面湾曲型係合部３２及び第二天板係合凹所１５間の嵌合が半円と半円とからなるものであるから、この断面湾曲型係合部３２及び第二天板係合凹所１５間の嵌合は、人の手によって簡単に外すことができるものである。
【００３５】
本実施形態の天板３０の上面には、図１、図２及び図３に示したように、僅かに窪む載置凹所３３が形成してあり、これらの載置凹所３３内には、前述したケース本体１０側の下端に形成した各載置突起１６が係合されることになる。つまり、これらの嵌合凹所３３は、当該天板３０を外さないままに、別のケース本体１０をこの上に載置する場合に使用されるものである。
【００３６】
【発明の効果】
以上詳述した通り、本発明においては、
「引出収納箱２０と、これが出入自在に収納されるケース本体１０と、このケース本体１０上部に選択的に嵌合される天板３０とからなる収納ケース１００において、
ケース本体１０の上部に上嵌合枠１１を一体的に立設して、この上嵌合枠１１の側面にケース本体用係合部１２ａを形成する一方、このケース本体１０の下部に下嵌合枠１３を一体的に形成して、この下嵌合枠１３の側面に、他のケース本体１０の上嵌合枠１１側におけるケース本体用係合部１２ａに係合し得る係合部１２ｂを形成して、このケース本体１０の上部に対する他のケース本体１０の係合が行えるようにするとともに、
ケース本体１０上の前端部に、天板３０の前端部内側に形成した断面略Ｌ型係合部３１が嵌合される、側面形状を鈎状のものとした第一天板係合凹所１４を形成し、ケース本体１０上の後端部に、天板３０の後端部内側に形成した断面湾曲型係合部３２が嵌合される、深さを第一天板係合凹所１４よりも浅くした第二天板係合凹所１５を形成して、ケース本体１０上に対する天板３０の嵌合をも行えるようにし、
さらに、ケース本体１０の側壁下面に僅かに下方に突出する裁置突起１６を一体的に形成し、この裁置突起１６が係合される裁置凹所３３を、他の収納ケース１００の天板３０の上面に僅かに窪んだ状態で形成したこと」
にその構成上の特徴があり、これにより、ケース本体の上部側に対する天板の嵌合は勿論、取り外しをも簡単な操作で確実に行うことができ、天板に代えて別のケース本体の取り付けを容易に行うことができて、多数のケース本体の無駄のない積み上げを良好に行うことのできる収納ケース１００を、簡単な構造によって提供することができるのである。
【００３７】
また、本発明の収納ケース１００においては、その第一天板係合凹所１４を、側面形状が鈎状のものとしたことによって、引出収納箱２０を大きく引き出して前端が下がって傾斜し、後端が天板３０の前端部を上げようとしたときに、この力に対抗する天板３０とケース本体１０とのしっかりした係合を行うことができる。
【００３８】
さらに、本発明の収納ケース１００においては、その第二天板係合凹所１５を、深さが第一天板係合凹所１４よりも浅くしたことによって、断面略Ｌ型係合部３１とケース本体１０側の第一天板係合凹所１４との係合状態を維持したまま、天板３０の後端をケース本体１０上に力を加えて乗せれば、ケース本体１０側の第二天板係合凹所１５に当該断面湾曲型係合部３２を簡単に係合させることができるのである。
【００３９】
そして、本発明の収納ケース１００においては、そのケース本体１０の側壁下面に、僅かに下方に突出する裁置突起１６を一体的に形成するとともに、この裁置突起１６が係合される裁置凹所３３を、他の収納ケース１００の天板３０の上面に僅かに窪んだ状態で形成したことによって、天板３０を有して独立した複数の収納ケース１００を、天板３０を外さないで積み重ねることができるのである。
【図面の簡単な説明】
【図１】本発明の収納ケースを示すもので、３つのケース本体を積み上げた場合の斜視図である。
【図２】同２つのケース本体と１つの天板とを組み合わせようとしている部分縦断面図である。
【図３】本発明において使用する天板を示すもので、（イ）は下側半分を底面とした平面図、（ロ）は長手方向の中央で切断してみた縦断面図、（ハ）は左半分を正面として表した短側に沿ってみた縦断側面図である。
【図４】本発明の収納ケースを構成しているケース本体を示すもので、（イ）は下側半分を底面とした平面図、（ロ）は右半分を正面として表した短側に沿ってみた縦断側面図である。
【図５】同ケース本体の側壁の上端を示す部分斜視図である。
【図６】同ケース本体の第二天板係合凹所を中心に見た部分拡大斜視図である。
【図７】同天板の断面略Ｌ型係合部を中心にして底面側から見た部分拡大斜視図である。
【図８】同天板の断面湾曲型係合部を中心にして底面側から見た部分拡大斜視図である。
【図９】同ケース本体上部に対して天板を嵌合しようとしている状態を示す拡大縦断面図である。
【符号の説明】
１００  収納ケース
１０  ケース本体
１１  上嵌合枠
１２ａ  ケース本体用係合部
１２ｂ  係合部
１３  下嵌合枠
１４  第一天板係合凹所
１５  第二天板係合凹所
１６  載置突起
２０  引出収納箱
３０  天板
３１  断面略Ｌ型係合部
３２  断面湾曲型係合部
３３  載置凹所
３４  天板側係合部
３５  嵌合枠
【図１】
0004754091.tif 000002
【図２】
0004754091.tif 000003
【図３】
0004754091.tif 000004
【図４】
0004754091.tif 000005
【図５】
0004754091.tif 000006
【図６】
0004754091.tif 000007
【図７】
0004754091.tif 000008
【図８】
0004754091.tif 000009
【図９】
0004754091.tif 000010